(57)【要約】【課題】  既存のキャビネットにおける保管物の保管上の安全性や機密保持性を向上させるためのロック機構を提供すること。【解決手段】  キャビネット本体（３）と、これに取り付けられた扉（５）と、扉の開閉機構と、扉の施錠機構とを備える既存のキャビネット（１）のためのロック機構である。ロック機構は、施錠機構の錠前（１３）に代えて扉に取り付けられた電動のアクチュエータ（９）と、扉に取り付けられかつアクチュエータに電気的に接続された、予め特定された生体を認証し、その認証に基づいて前記アクチュエータの作動を制御するための生体認証装置（１１）と、アクチュエータと生体認証装置とに電力を供給するための電源とを含む。【選択図】      図１
0003135388.tif 000002
【実用新案登録請求の範囲】
【請求項１】
上部及び下部を有するキャビネット本体と、該キャビネット本体に回転可能に取り付けられた扉と、該扉の開閉機構と、前記扉の施錠機構とを備え、
前記扉の開閉機構が前記扉に上下方向軸線の周りに回転可能に取り付けられたロッドと、該ロッドの上下両端部にそれぞれ設けられた一対の爪部材と、前記扉に設けられた、前記ロッドを回転させるための取っ手と、前記キャビネット本体の上部及びその下部にそれぞれ設けられた一対の穴であって前記ロッドの回転により前記一対の爪部材が係止するように該爪部材を受け入れ可能である一対の穴とを有し、
また前記扉の施錠機構が、前記ロッドに固定された舌片と、鍵により操作される作動片を有する錠前であって前記作動片が前記ロッドの回転を阻止するように前記舌片と重なり合う位置と非重合位置との間で作動可能である錠前とを有する、既存のキャビネットのためのロック機構であって、
前記錠前に代えて前記キャビネットの扉に取り付けられた電動のアクチュエータであって前記ロッドの回転を阻止するように前記舌片と重なり合う位置と非重合位置との間で作動可能である作動部材を有するアクチュエータと、
前記キャビネットの扉に取り付けられかつ前記アクチュエータに電気的に接続された、予め特定された生体を認証し、その認証に基づいて前記アクチュエータの作動を制御するための生体認証装置と、
前記アクチュエータと前記生体認証装置とに電力を供給するための電源とを含む、
ことを特徴とする、キャビネットのためのロック機構。
【請求項２】
前記生体認証装置は、
生体の一部の情報を検出するためのセンサと、
少なくとも一人についての生体の情報が記録された記録部と、前記センサにより検出された情報と前記記録部に記録された情報とを照合する照合部と、前記センサにより検出された情報が前記記録部に記録された情報とが一致するときに前記アクチュエータに作動信号を出力する出力部とを有する制御装置とを備える、
ことを特徴とする、請求項１に記載のロック機構。
【請求項３】
前記生体の一部は指紋からなる、
ことを特徴とする、請求項２に記載のロック機構。
【請求項４】
前記制御装置はＭＰＵからなる、
ことを特徴とする、請求項２又は３に記載のロック機構。
【請求項５】
前記生体認証装置は、さらに、前記制御装置に電気的に接続されたＵＳＢポートを有する、
ことを特徴とする、請求項２ないし４のいずれか１項に記載のロック機構。
【請求項６】
アクチュエータはばね力が付与されたソレノイドからなる、
ことを特徴とする、請求項１ないし５のいずれか１項に記載のロック機構。
【請求項７】
前記電源は乾電池からなる、
ことを特徴とする、請求項１ないし６に記載のロック機構
【請求項８】
上部及び下部を有するキャビネット本体と、該キャビネット本体に回転可能に取り付けられた扉と、該扉の開閉機構と、前記扉の施錠機構とを備え、
前記扉の開閉機構が前記扉に上下方向軸線の周りに回転可能に取り付けられたロッドと、該ロッドの上下両端部にそれぞれ設けられた一対の爪部材と、前記扉に設けられた、前記ロッドを回転させるための取っ手と、前記キャビネット本体の上部及びその下部にそれぞれ設けられた一対の穴であって前記ロッドの回転により前記一対の爪部材が係止するように該爪部材を受け入れ可能である一対の穴とを有し、
また前記扉の施錠機構が、前記ロッドに固定された舌片と、鍵により操作される作動片を有する錠前であって前記作動片が前記ロッドの回転を阻止するように前記舌片と重なり合う位置と非重合位置との間で作動可能である錠前とを有する、既存のキャビネットのためのロック機構であって、
前記ロッドに固定された他の舌片と、
前記キャビネットの扉に取り付けられた電動のアクチュエータであって前記ロッドの回転を阻止するように前記舌片と重なり合う位置と非重合位置との間で作動可能である作動部材を有するアクチュエータと、
前記キャビネットの扉に取り付けられかつ前記アクチュエータに電気的に接続された、予め特定された生体を認証し、その認証に基づいて前記アクチュエータの作動を制御するための生体認証装置と、
前記アクチュエータと前記生体認証装置とに電力を供給するための電源とを含む、
ことを特徴とする、キャビネットのためのロック機構。
【考案の詳細な説明】
【技術分野】
【０００１】
本考案は、現に使用に供されている既存のキャビネットに適用されるロック機構に関する。
【背景技術】
【０００２】
書類その他のものを収納するための容器としてキャビネットが用いられている。キャビネットは、収納空間を有する前面開放のキャビネット本体と、該キャビネット本体の前面を閉鎖し、またこれを開放状態にするための、前記キャビネット本体に回転可能に取り付けられた扉とを備える。前記扉には、該扉を前記キャビネット本体に対して閉じた状態に維持し又はこれを解除するための開閉機構と、該開閉機構の作動を制限しまたこれを解除するための施錠機構とが設けられている（特許文献１参照）。
【特許文献１】実公平５−１９４７８号公報
【０００３】
このキャビネットにあっては、前記扉の開閉機構が前記扉に上下方向軸線の周りに回転可能に取り付けられたロッドと、該ロッドの上下両端部にそれぞれ設けられた一対の爪部材と、前記扉に設けられた、前記ロッドを回転させるための取っ手と、前記キャビネットの上部及びその下部にそれぞれ設けられた一対の穴であって前記ロッドの回転により前記一対の爪部材が係止するように該爪部材を受け入れ可能である一対の穴とを有する。また、前記扉の施錠機構が、前記ロッドに固定された舌片と、前記ロッドの回転を阻止可能であるように前記舌片と重なり合うことが可能である、鍵により操作される作動片を有する錠前とを有する。
【０００４】
前記キャビネットによれば、前記ロッドの両端部の爪部材がそれぞれ前記キャビネット本体の上下の両穴に受け入れられ、両穴の縁部に係止した状態にあるとき、前記キャビネット本体の開放前面が閉じられた状態におかれる。他方、前記取っ手の操作により前記ロッドと共に前記爪部材を回転させ、該爪部材を前記穴内から抜け出させることにより、前記爪部材の前記穴に対する係止状態を解除することができる。前記爪部材の前記穴からの抜け出しにより、前記キャビネット本体に対する前記扉の回転が許容され、これにより、前記キャビネット本体を開いた状態にすることができる。
【０００５】
また、前記施錠機構によれば、前記キャビネット本体が前記扉により閉じられた状態にあるとき、前記錠前に鍵を差し入れ、これを回すことにより、施錠及び開錠を行うことができる。この施錠機構にあっては、前記鍵を回すことにより前記ロッドに固定された舌片に対して相対運動をする作動片が前記舌片と重なり合うとき、前記取っ手による前記ロッドの回転が制限され、施錠状態が維持される。他方、前記作動片が前記舌片との重合を解除されるときは、前記取っ手によるロッドの回転が許容され、開錠状態とされる。
【考案の開示】
【考案が解決しようとする課題】
【０００６】
ところで、前記従来のキャビネットにあっては、合鍵の貸し借りが比較的自由である、合鍵の作成が容易である等の理由から、前記キャビネット内に収納された書類、その他の保管物に対するアクセスが比較的容易であり、このため、保管物の保管の安全性や、保管物の機密保持性等の確保に問題があった。
【０００７】
そこで、本考案の目的は、既存のキャビネットにおける保管物の保管上の安全性や機密保持性を向上させるためのロック機構を提供することにある。
【課題を解決するための手段】
【０００８】
（請求項１記載の考案の特徴）
請求項１に記載の考案は、上部及び下部を有するキャビネット本体と、該キャビネット本体に回転可能に取り付けられた扉と、該扉の開閉機構と、前記扉の施錠機構とを備え、
前記扉の開閉機構が前記扉に上下方向軸線の周りに回転可能に取り付けられたロッドと、該ロッドの上下両端部にそれぞれ設けられた一対の爪部材と、前記扉に設けられた、前記ロッドを回転させるための取っ手と、前記キャビネット本体の上部及びその下部にそれぞれ設けられた一対の穴であって前記ロッドの回転により前記一対の爪部材が係止するように該爪部材を受け入れ可能である一対の穴とを有し、また前記扉の施錠機構が、前記ロッドに固定された舌片と、鍵により操作される作動片を有する錠前であって前記作動片が前記ロッドの回転を阻止するように前記舌片と重なり合う位置と非重合位置との間で作動可能である錠前とを有する、既存のキャビネットのためのロック機構であって、前記錠前に代えて前記キャビネットの扉に取り付けられた電動のアクチュエータであって前記ロッドの回転を阻止するように前記舌片と重なり合う位置と非重合位置との間で作動可能である作動部材を有するアクチュエータと、前記キャビネットの扉に取り付けられかつ前記アクチュエータに電気的に接続された、予め特定された生体を認証し、その認証に基づいて前記アクチュエータの作動を制御するための生体認証装置と、前記アクチュエータと前記生体認証装置とに電力を供給するための電源とを含むことを特徴とする。
【０００９】
請求項１に記載の考案によれば、既存のキャビネットの扉に取り付けられていた合鍵使用の錠前が電動のアクチュエータに置き換えられ、前記アクチュエータは、その作動部材の作動を通して、前記錠前が受け持っていた前記キャビネットについての施錠及び開錠の機能を担う。前記アクチュエータの作動は前記扉に新たに取り付けられた生体認証装置により制御される。前記生体認証装置は予め設定された特定の生体（人間）を認証すること、すなわち識別する機能を有し、前記生体認証装置による生体の認証がなされたとき、前記アクチュエータが作動し、これにより前記キャビネットの施錠及び開錠が行われる。このような施錠及び開錠の方式の採用により、既存のキャビネットについての保管物に対するアクセスが特定の者に限定され、前記保管物の保管の安全性、機密保持性等の向上が図られる。
【００１０】
（請求項２記載の考案の特徴）
請求項２に記載の考案は、請求項１に記載の考案の構成要素を備えた上で、前記生体認証装置が生体の一部の情報を検出するためのセンサと、少なくとも一人についての生体の情報が記録された記録部と、前記センサにより検出された情報と前記記録部に記録された情報とを照合する照合部と、前記センサにより検出された情報が前記記録部に記録された情報とが一致するときに前記アクチュエータに作動信号を出力する出力部とを有する制御装置とを備えることを特徴とする。
【００１１】
請求項２に記載の考案によれば、前記生体認証装置は、そのセンサにより、生体の一部の情報を検出する。検出された生体情報は、前記生体認証装置の制御装置の照合部において、前記制御装置の記録部に予め記録された特定の生体情報と照合される。照合の結果、両生体情報が互いに一致するとき、前記制御装置の出力部から前記アクチュエータへの作動信号が出力される。前記アクチュエータはこれに基づき施錠及び開錠のための動作をする。
【００１２】
（請求項３記載の考案の特徴）
請求項３に記載の考案は、請求項２に記載の考案の構成要素を備えた上で、前記生体認証装置により認証される前記生体の一部が指紋からなることを特徴とする。
【００１３】
請求項３に記載の考案によれば、前記生体認証装置による認証の対象を指紋とし、指紋の照合により、固有の生体の認証、識別を行うことができる。
【００１４】
（請求項４記載の考案の特徴）
請求項４に記載の考案は、請求項２又は３に記載の考案の構成要素を備えた上で、前記生体認証装置における制御装置がＭＰＵ（Micro Processor Unit）からなることを特徴とする。
【００１５】
請求項４に記載の考案によれば、前記制御装置をＭＰＵ（チップ）としたことから、前記制御装置をコンピュータとする場合と比べて、前記生体認証装置の小型化を図ることができる。このため、前記生体認証装置を前記既存のキャビネットの扉に取り付けるために必要とされる該扉への穴開け加工や他の加工を量的に最小限に留めることができる。
【００１６】
（請求項５記載の考案の特徴）
請求項５に記載の考案は、請求項２ないし４のいずれかに記載の考案の構成要素を備えた上で、前記生体認証装置が、さらに、前記制御装置に電気的に接続されたＵＳＢ(Universal Serial Bus)ポートを有することを特徴とする。
【００１７】
請求項５に記載の考案によれば、前記ＵＳＢポートを介して、前記生体認証装置の制御装置に、これに適合するように構成された適当なプログラムが組み込まれた例えばパーソナルコンピュータを接続することができ、前記制御装置に残された当該キャビネットへのアクセス情報、例えば前記キャビネットに対してアクセスした者、回数、時刻等は前記パーソナルコンピュータを介して知ることができる。また、前記パーソナルコンピュータを通して、前記生体認証装置の制御装置の記録部に記録されるべき者の追加、変更等を行うことができる。
【００１８】
（請求項６記載の考案の特徴）
請求項６に記載の考案は、請求項１ないし５に記載の考案の構成要素を備えた上で、前記アクチュエータが、ばね力が付与されたソレノイドからなることを特徴とする。
【００１９】
請求項６に記載の考案によれば、前記ソレノイドは前記生体認証装置の制御装置の出力部からの作動信号を受けると、前記ばね力に抗した作動を行い、また前記ばね力に従う作動を行い、これにより、前記キャビネットの施錠及び開錠がなされる。
【００２０】
（請求項７記載の考案の特徴）
請求項７に記載の考案は、請求項１ないし６に記載の考案の構成要素を備えた上で、前記電源が乾電池からなることを特徴とする。
【００２１】
請求項７に記載の考案によれば、前記アクチュエータ及び前記生体認証装置のための電源を乾電池とすることにより、これを交流電源とする場合に必要な配線設備、その設置作業等を不要とすることができる。また、前記生体認証装置が前記ＵＳＢポートを備える例にあっては、前記乾電池の使用によりその電圧が低下している場合にあっても、前記ＵＳＢポートを通して、キャビネットの外部から前記生体認証装置に電力を送り、これを作動させ、あるいは前記生体認証装置に蓄積された情報を収集することができる。
【００２２】
（請求項８記載の考案の特徴）
請求項８に記載の考案は、上部及び下部を有するキャビネット本体と、該キャビネット本体に回転可能に取り付けられた扉と、該扉の開閉機構と、前記扉の施錠機構とを備え、
前記扉の開閉機構が前記扉に上下方向軸線の周りに回転可能に取り付けられたロッドと、該ロッドの上下両端部にそれぞれ設けられた一対の爪部材と、前記扉に設けられた、前記ロッドを回転させるための取っ手と、前記キャビネット本体の上部及びその下部にそれぞれ設けられた一対の穴であって前記ロッドの回転により前記一対の爪部材が係止するように該爪部材を受け入れ可能である一対の穴とを有し、また前記扉の施錠機構が、前記ロッドに固定された舌片と、鍵により操作される作動片を有する錠前であって前記作動片が前記ロッドの回転を阻止するように前記舌片と重なり合う位置と非重合位置との間で作動可能である錠前とを有する、既存のキャビネットのためのロック機構であって、前記ロッドに固定された他の舌片と、前記キャビネットの扉に取り付けられた電動のアクチュエータであって前記ロッドの回転を阻止するように前記舌片と重なり合う位置と非重合位置との間で作動可能である作動部材を有するアクチュエータと、前記キャビネットの扉に取り付けられかつ前記アクチュエータに電気的に接続された、予め特定された生体を認証し、その認証に基づいて前記アクチュエータの作動を制御するための生体認証装置と、前記アクチュエータと前記生体認証装置とに電力を供給するための電源とを含むことを特徴とする。
【００２３】
請求項８に記載の考案によれば、既存のキャビネットに備えられた錠前を取り外すことなく、該錠前に加えて、さらに、前記ロック機構が付加される。前記ロック機構は、前記キャビネット本体に対する前記扉の閉鎖及びその解除を行うために回転動作される前記ロッドに固定された舌片を含む。この舌片は、アクチュエータの作動部材との重合及び非重合を以て、前記ロッドの回転動作を禁止し、またこれを解除する作用をなす。前記アクチュエータの作動は、請求項１に記載の発明におけると同様、前記生体認証装置により制御される。すなわち、前記生体認証装置による生体の認証がなされたとき、前記アクチュエータが作動し、これにより前記キャビネットの施錠及び開錠が行われる。このような施錠及び開錠の方式の採用により、既存のキャビネットについての保管物に対するアクセスが特定の者に限定され、前記保管物の保管の安全性、機密保持性等の向上が図られる。
【考案を実施するための最良の形態】
【００２４】
図１及び図２を参照すると、本考案に係る後記ロック機構が適用された既存のキャビネットが全体に符号１で示されている。キャビネット１は、保管物を保管するための空間を規定する箱形のキャビネット本体３と、該キャビネット本体を閉鎖しまた開放するための一対の扉５，７とを備える。
【００２５】
本考案に係るロック機構は、キャビネット１の一方（図上右方）の扉５の裏面に配置されかつ扉５に取り付けられた電動のアクチュエータ９（図３）と、扉５の裏面及びその表面に表れるように扉５に取り付けられ、扉５の裏面においてコード１０を介してアクチュエータ９に電気的に接続された生体認証装置１１と、アクチュエータ９及び生体認証装置１１の双方に電力を供給するための電源（図示せず）とを備える。
【００２６】
前記ロック機構のアクチュエータ９は、既存のキャビネット１の扉５に取り付けられていた施錠機構を構成する錠前１３、すなわち合鍵が差し込まれ、これを回転させることにより操作されるタイプの錠前１３（図４）の取り外し跡に配置されている。前記施錠機構はカバー１４により覆われている。錠前１３の取り外しにより扉５の表面に表れることとなる穴（図示せず）は、図示の例では適当なプレート１５（図１）を扉５の表面に貼り付けることにより隠されている。また、生体認証装置１１は、その一部が、扉５に穴開け加工を施して形成された穴（図示せず）に通され、これにより、その一部が扉５の表面側に位置し、他の一部が扉５の裏面側に位置する。
【００２７】
キャビネット１の両扉５，７は、それぞれ、キャビネット本体３の両側部にヒンジ機構（図示せず）を介して取り付けられている。これにより、両扉５，７は、それぞれ、キャビネット本体３の上部３ａ及び下部３ｂ間をその開放側部に沿って伸びる軸線の周りに回転可能とされている。キャビネット本体３は、両扉５，７の回転操作により、閉じた状態とされ（図１）、また開いた状態とされる（図２）。図示の例では、他方の扉７に、該扉を閉じたときに一方の扉５の縁部が重なり、扉５とキャビネット本体３との間に挟持される重なり代１７が設けられている。したがって、他方の扉７は一方の扉５によりキャビネット本体３に対する閉鎖状態を維持される。
【００２８】
キャビネット１には、これが両扉５，７により閉じられた状態にあるとき、両扉５，７をこれらがキャビネット本体３と一体をなすようにキャビネット本体３に保持し、またこれを解除するための開閉機構が設けられている。
【００２９】
この開閉機構は、扉５の裏面に配置されかつ扉５に上下方向軸線の周りに回転可能に取り付けられたロッド１９を備える。ロッド１９は扉５の裏面に取り付けられたフレーム２７に回転可能に支承されている。ロッド１９にはその長手方向におけるほぼ中央部に、ロッド１９の軸線方向に伸びる細長い板状部材２１（図３及び図４）が固定されている。図示の例では、ロッド１９は矩形の横断面形状を有する。また、板状部材２１は、図示の例では、フレーム２７内に配置され、アクチュエータ９（又は錠前１３）の上方に位置する。
【００３０】
ロッド１９の上端部及び下端部には、それぞれ、一対の爪部材２９（図２）が取り付けられている。他方、キャビネット本体３の上部３ａ及び下部３ｂには、それぞれ、キャビネット本体３の開放端面に開放する一対の矩形状の穴３１が設けられている（ただし、上部３ａに設けられた穴３１のみを示す。）。各穴３１は、扉５を閉じたとき、各爪部材２９を受け入れることが可能である。また、穴３１に受け入れられた爪部材２９は穴３１の周縁部に係止可能である。
【００３１】
ロッド１９は、ばね部材（図示せず）により、図３又は図４に示す矢印３３の方向への回転を促すばね力を受けている。このため、穴３１に受け入れられた爪部材２９は、ロッド１９に作用する前記ばね力により穴３１の周縁部に対する係止状態を維持され、これにより扉５はキャビネット本体３に保持され、扉５，７によるキャビネット本体３の閉鎖状態が維持される。キャビネット本体３に対する扉５の保持状態は、ロッド１９を矢印３３と反対の方向へ回転させて、爪部材２９を穴３１から抜き出し、穴３１に対する爪部材２９の係止を解除することにより、解除することができ、これにより、扉５，７を回転させて開くことができる。
【００３２】
矢印３３と反対方向へのロッド１９の回転操作は、扉５に設けられた取っ手３５を片手で把持することにより行うことができる。取っ手３５は、扉５の上下方向のほぼ中央部に設けられた開口３７（図１）内に配置されかつ扉５に上下方向軸線の周りに回転可能に取り付けられている。また、取っ手３５は、これを把持し、前記上下方向軸線の周りに回転させると、ロッド１９に固定された板状部材２１に当たり、板状部材２１を矢印３３と反対方向へ回転させる作用をなす。この回転により、キャビネット本体３の穴３１に受け入れられた状態にある爪部材２９を穴３１から抜き出すことができる。なお、他方の扉７には、これを開閉操作するための取っ手２５が設けられている。
【００３３】
また、既存のキャビネット１に備え付けられた前記施錠機構は、錠前１３（図４）の他、さらにロッド１９に固定された舌片３９を有する。錠前１３は、その合鍵により操作される作動片４１を有する。図示の作動片４１は、図４で見て左右方向に往復動可能である。すなわち、作動片４１が右方に移動して舌片３９と重なり合い、舌片３９の回転を禁止する重合位置と、左方に移動して舌片３９と重なり合わない、舌片３９の回転を許す非重合位置との間で移動可能である。したがって、錠前１３の作動片４１が前記重合位置にあるときは、取っ手３５を把持することによってロッド１９を回転させることができない状態である施錠状態にある。他方、作動片４１が前記非重合位置にあるときは、取っ手３５の把持操作によりロッド１９を前記ばね部材のばね力に抗して回転させることができる状態である開錠状態にある。
【００３４】
次に図３を参照すると、錠前１３と交換されたアクチュエータ９は図示の例ではソレノイドからなる。前記ソレノイドは、扉５の裏面に固定されたコ字形の支持板４２に固定されている。前記ソレノイドは、支持板４２を貫通して伸び、図３で見て左右方向へ往復動可能である棒状の作動部材４３を有する。作動部材４３は、錠前１３の作動片４１と同様、右方に移動されて舌片３９と重なり合い、これにより舌片３９の回転を禁止する重合位置と、左方に移動され舌片３９と重なり合わない、舌片３９の回転を許す非重合位置との間で移動可能である。図示の例では、前記ソレノイドは、その作動部材４３に対してこれを右方に向けてばね力を及ぼすばね部材（図示せず）を有する。したがって、作動部材４３が前記ばね部材の作用により前記重合位置に保持されるとき、舌片３９及びロッド１９の回転が制限され（施錠状態）、また、前記ソレノイドへの通電により作動部材４３を前記ばね力に抗して左方へ移動させ、これを前記非重合位置におくとき、舌片３９及びロッド１９が回転可能とされる（開錠状態）。
【００３５】
アクチュエータ９を制御する作用をなす生体認証装置１１は、生体の一部（例えば指紋）の情報を検出するためのセンサ４５（図１）と、制御装置（図示せず）とを有する。センサ４５は、扉５の表面に表れるように配置されている。また、前記制御装置は、扉５の裏面に位置するように配置され、カバー４７により覆われている。なお、生体認証装置１１は、センサ４５と共に前記制御装置が扉５の表面に表れるように配置することも可能である。
【００３６】
前記制御装置はＭＰＵ（チップ）からなり、前記ＭＰＵは、キャビネット１についてのアクセスを許された少なくとも一人についての生体情報が記録された記録部と、センサ４５により検出された生体情報（検出情報）と前記記録部に記録された生体情報（記録情報）とを照合する照合部と、前記検出情報と前記記録情報とが一致するときにアクチュエータ９に作動信号を出力する出力部とを有する。前記制御装置をチップを以て構成することにより、生体認証装置１１の小型化を図ることができる。
【００３７】
ここに例示する生体認証装置１１によれば、キャビネット１が施錠状態にあるとき、センサ４５がこれに当てられた指先の指紋を読み取り、その指紋情報を前記制御装置に送る。前記指紋情報を受け取った前記制御装置は、その正当性すなわち前記指紋情報が前記制御装置の記録部に記録されたものであるか否かを判断し、その判断結果に応じて、前記ソレノイドにその作動部材４３が前記非重合位置に移動するように、又は作動部材４３が前記重合位置に留まるようにその作動を指示する。
【００３８】
アクチュエータ９を作動させ、また生体認証装置１１を駆動するための電源（図示せず）は、乾電池とすることができる。前記乾電池は、扉５の裏面側に配置される。前記電源として乾電池を使用することにより、交流電源を利用する場合に必要な配線、配線のための工事等を不要にすることができる。
【００３９】
生体認証装置１１は、好ましくは、その制御装置に電気的に接続されたＵＳＢポート４９（図１）を備える。これによれば、ＵＳＢポート４９を介して、生体認証装置１１に適合する所要のプログラムが組み込まれたパーソナルコンピュータ（図示せず）を生体認証装置１１に接続し、前記パーソナルコンピュータを操作することにより、生体認証装置１１の前記制御装置に保存された情報、例えばキャビネットの施錠及び開錠を行った者、その回数、その時刻等を調べることができる。これは、使用により前記電池の電圧が生体認証装置１１の作動に必要な値を下回る場合にあっても、ＵＳＢポート４９を通して、前記パーソナルコンピュータから生体認証装置１１に電力を送り、行うことができる。また、前記パーソナルコンピュータに保存されたデータを生体認証装置１１に送り、その制御装置に保存されたデータを書き換えることができる。
【００４０】
前記したところでは、既存のキャビネット１に取り付けられた錠前１３を撤去し、錠前１３をアクチュエータ９に置き換えたが、これに代えて、錠前１３を撤去することなしに、アクチュエータ９を扉５に取り付けることができる。このために、図３に想像線で示すように、例えば、ロッド１９に既存の舌片３９と同様の他の舌片５１を取り付け、さらに、既存の舌片３９に対するのと同様の関係にあるように、舌片５１に対してアクチュエータ９を配置する。いうまでもなく、このアクチュエータ９には、生体認証装置１１が前記したと同様に接続される。
【００４１】
なお、本考案に係るロック機構は、２つの扉５，７を有するキャビネット１の他、単一の扉を有するキャビネットにも適用することができる。
【図面の簡単な説明】
【００４２】
【図１】本考案のロック機構が適用された既存のキャビネットの正面図である。
【図２】扉を開いた状態の図１に示すキャビネットの斜視図である。
【図３】カバーを除いて、ロック機構の一部をなすアクチュエータを示す、扉の裏面の概略的な部分拡大図である。
【図４】カバーを除いて、既存の錠前を含む施錠機構を示す、扉の裏面の概略的な部分拡大図である。
【符号の説明】
【００４３】
１        キャビネット
３        キャビネット本体
５，７    扉
９        アクチュエータ
１１        生体認証装置
１３        錠前
１９        ロッド
２９        爪部材
３１        穴
３５        取っ手
３９，５１  舌片
４１        作動片
４３        作動部材
４５        センサ
４９        ＵＳＢポート
【図１】
0003135388.tif 000003
【図２】
0003135388.tif 000004
【図３】
0003135388.tif 000005
【図４】
0003135388.tif 000006